(57)【要約】【課題】  アクセシビリティ機能を利用しているユーザの操作性を低下させずに、アクセシビリティ機能を利用しないユーザはサイネージ機能のメリットを享受できる画像処理装置を提供する。【解決手段】  画像処理装置は、アクセシビリティに関する機能が起動されている場合は、特定のイベントを受信してもコンテンツを表示しない。【選択図】  図４
2019012908.tif 000002
【特許請求の範囲】
【請求項１】
表示すべきコンテンツを登録する登録手段と、
イベントを受信する受信手段と、
前記受信手段により特定のイベントを受信したことに従って、前記登録手段により登録されたコンテンツを操作部に表示する表示制御手段と、を有する画像処理装置であって、
アクセシビリティに関する機能が起動されているか否かを判定する判定手段を有し、
前記表示制御手段は、前記アクセシビリティに関する機能が起動されていると判定された場合は、前記受信手段により前記特定のイベントを受信しても前記コンテンツを前記操作部に表示しないよう制御することを特徴とする画像処理装置。
【請求項２】
前記コンテンツを表示するか否かを設定する第１の設定手段を有し、
前記表示制御手段は、前記アクセシビリティに関する機能が起動されていると判定された場合は、前記コンテンツを表示する設定がされていても前記コンテンツを前記操作部に表示しないよう制御することを特徴とする請求項１記載の画像処理装置。
【請求項３】
前記表示制御手段は、前記コンテンツを前記操作部に表示後に前記アクセシビリティに関する機能が起動された場合には、前記コンテンツを非表示にすることを特徴とする請求項１または２記載の画像処理装置。
【請求項４】
前記アクセシビリティに関する機能は、音声を用いて前記画像処理装置を操作する音声モードであることを特徴とする請求項１から３のいずれか１項に記載の画像処理装置。
【請求項５】
前記音声モードは、前記操作部での操作を音声で説明する機能を含むことを特徴とする請求項４記載の画像処理装置。
【請求項６】
前記音声モードは、ユーザによる音声を認識し、認識結果に応じて前記画像処理装置を操作する機能を含むことを特徴とする請求項４又は５記載の画像処理装置。
【請求項７】
前記アクセシビリティに関する機能は、操作部に表示されている画面の一部の領域を拡大して表示する画面拡大機能であることを特徴とする請求項１から３のいずれか１項に記載の画像処理装置。
【請求項８】
ユーザを前記画像処理装置にログインさせるためのログイン処理を行う認証処理手段を有し、
前記特定のイベントは、前記認証処理手段から通知されるログインイベントを含むことを特徴とする請求項１から７のいずれか１項に記載の画像処理装置。
【請求項９】
前記操作部に対する操作が所定時間行われなかったことに従って、操作部に表示されている画面における設定値を初期値に戻すオートクリア処理を行うオートクリア処理手段を有し、
前記特定のイベントは、前記オートクリア処理手段から通知されるオートクリアイベントを含むことを特徴とする請求項１から８のいずれか１項に記載の画像処理装置。
【請求項１０】
ユーザを認証するためのユーザ認証に関する設定を行う第２の設定手段を有し、
前記第２の設定手段により設定されたユーザ認証に関する設定に従って、前記コンテンツの表示タイミングとなる前記特定のイベントを決定することを特徴とする請求項１から９のいずれか１項に記載の画像処理装置。
【請求項１１】
前記第２の設定手段は、ユーザ認証を行うか否かを設定することが可能であることを特徴とする請求項１０記載の画像処理装置。
【請求項１２】
前記第２の設定手段は、ユーザ認証に必要な認証情報を入力させるための認証画面を、前記画像処理装置の操作開始時に表示するか、前記画像処理装置が有する複数の機能のうちのいずれかの機能の選択時に表示するか、を設定することが可能であることを特徴とする請求項１０又は１１記載の画像処理装置。
【請求項１３】
前記登録手段は、前記画像処理装置とネットワークを介して接続された情報処理装置のＷｅｂブラウザを用いて入力された情報に基づき、表示すべきコンテンツを登録することが可能であることを特徴とする請求項１か１２のいずれか１項に記載の画像処理装置。
【請求項１４】
前記登録手段により登録することが可能なコンテンツは、Ｗｅｂブラウザで閲覧可能なコンテンツであることを特徴とする請求項１から１３のいずれか１項に記載の画像処理装置。
【請求項１５】
前記登録手段により登録されたコンテンツを外部のサーバから取得する取得手段を有し、
前記表示制御手段は、前記取得手段により取得したコンテンツを表示することを特徴とする請求項１から１４のいずれか１項に記載の画像処理装置。
【請求項１６】
原稿上の画像を読み取って画像データを生成する読取手段と、
画像データに基づいて用紙上に画像を印刷する印刷手段と、
を備えることを特徴とする請求項１から１５のいずれか１項に記載の画像処理装置。
【請求項１７】
表示すべきコンテンツを登録する登録手段と、
イベントを受信する受信手段と、
前記受信手段により特定のイベントを受信したことに従って、前記登録手段により登録されたコンテンツを操作部に表示する表示制御手段と、を有する画像処理装置の制御方法であって、
アクセシビリティに関する機能が起動されているか否かを判定する判定し、
前記アクセシビリティに関する機能が起動されていると判定された場合は、前記受信手段により前記特定のイベントを受信しても前記コンテンツを前記操作部に表示しないよう制御することを特徴とする画像処理装置の制御方法。
【請求項１８】
コンピュータを、請求項１から１６のいずれか１項に記載の画像処理装置として動作させるためのプログラム。
【発明の詳細な説明】
【技術分野】
【０００１】
画像処理装置及びその制御方法、並びにプログラムに関する。
【背景技術】
【０００２】
近年では、屋外・店頭・公共空間・交通機関など、あらゆる場所で、ネットワークに接続したディスプレイなどを用いて情報を発信する「デジタルサイネージ」が広まりつつある。企業などのオフィスにおいても、従業員に対する情報共有の支援、企業の情報統制等を目的として、デジタルサイネージの活用が注目されている。
【０００３】
複合機等の画像処理装置においても、ネットワークを介して接続されるコンテンツ配信装置からコンテンツを取得し、画像処理装置の操作部に表示する技術が知られている（特許文献１）。
【先行技術文献】
【特許文献】
【０００４】
【特許文献１】特開２０１６−２１８７０６
【発明の概要】
【発明が解決しようとする課題】
【０００５】
一方で、画像処理装置は多様なユーザが利用する端末であり、画像処理装置に搭載される音声モード機能や、画面拡大機能を活用しながら画像処理装置を操作するユーザも存在する。このようなアクセシビリティ機能を活用するユーザは主に全盲者や弱視者であることが想定される。情報を見せるための機能であるサイネージ機能は、全盲者や弱視者に対しては効果が薄く、これらのユーザに対する情報伝達手段として効果的とはいえない。また、サイネージ機能は、情報をユーザに見せるための画面を表示するステップが発生するため、画像処理装置の操作手順を変えてしまう。画像処理装置の操作手順を変えてしまうことは、アクセシビリティ機能を活用するユーザ、特に全盲者に対して画像処理装置の操作性を低下させる要因となる。
【０００６】
本発明は、アクセシビリティ機能を利用しているユーザの操作性を低下させずに、アクセシビリティ機能を利用しないユーザはサイネージ機能のメリットを享受できる画像処理装置を提供することを目的とする。
【課題を解決するための手段】
【０００７】
上記課題を解決するため、本発明は、表示すべきコンテンツを登録する登録手段と、イベントを受信する受信手段と、前記受信手段により特定のイベントを受信したことに従って、前記登録手段により登録されたコンテンツを操作部に表示する表示制御手段と、を有する画像処理装置であって、アクセシビリティに関する機能が起動されているか否かを判定する判定手段を有し、前記表示制御手段は、前記アクセシビリティに関する機能が起動されていると判定された場合は、前記受信手段により前記特定のイベントを受信しても前記コンテンツを前記操作部に表示しないよう制御することを特徴とする。
【発明の効果】
【０００８】
本発明によれば、アクセシビリティ機能を利用しているユーザの操作性を低下させずに、アクセシビリティ機能を利用しないユーザはサイネージ機能のメリットを享受できる画像処理装置を提供することができる。
【図面の簡単な説明】
【０００９】
【図１】システムの全体図である。
【図２】画像処理装置のハードウェア構成を示すブロック図である。
【図３】画像処理装置のソフトウェア構成を示すブロック図である。
【図４】画像処理装置の処理手順を示すフロー図である。
【図５−１】コンテンツの設定画面の画面の例を示す図である。
【図５−２】コンテンツの設定画面の画面の例を示す図である。
【図５−３】コンテンツの設定画面の画面の例を示す図である。
【図６】コンテンツ設定管理テーブル３０６の例を示す図である。
【図７】ユーザ認証に関する設定を行うための画面例を示す図である。
【図８（ａ）】サイネージアプリケーション３００の表示がＯＦＦ、認証画面を操作開始時に表示する設定がされている場合に表示される画面のフローを示す図である。
【図８（ｂ）】サイネージアプリケーション３００の表示がＯＦＦ、認証画面を機能選択時に表示する設定がされている場合に表示される画面のフローを示す図である。
【図８（ｃ）】サイネージアプリケーション３００の表示がＯＦＦ、ユーザ認証機能がＯＦＦに設定されている場合に表示される画面のフローを示す図である。
【図９】サイネージアプリケーション３００により予め登録されたコンテンツが表示された時の画面例を示す図である。
【図１０（ａ）】サイネージアプリケーション３００の表示がＯＮ、認証画面を操作開始時に表示する設定がされている場合に表示される画面のフローを示す図である。
【図１０（ｂ）】サイネージアプリケーション３００の表示がＯＮ、認証画面を機能選択時に表示する設定がされている場合に表示される画面のフローを示す図である。
【図１０（ｃ）】サイネージアプリケーション３００の表示がＯＮ、ユーザ認証機能がＯＦＦに設定されている場合に表示される画面のフローを示す図である。
【図１１】音声モードの起動に関する画面例を示す図である。
【図１２（ａ）】音声モードを利用するユーザが画像処理装置１００を操作する際の一般的な画面フローを示した図である。
【図１２（ｂ）】音声モードを利用するユーザが画像処理装置１００を操作する際の一般的な画面フローを示した図である。
【図１３（ａ）】サイネージアプリケーション３００の画面表示がＯＮの状態で音声モードが起動されたときに、サイネージアプリケーション３００の画面を表示するようにした場合の画面フローを示した図である。
【図１３（ｂ）】サイネージアプリケーション３００の画面表示がＯＮの状態で音声モードが起動されたときに、サイネージアプリケーション３００の画面を表示するようにした場合の画面フローを示した図である。
【図１４（ａ）】サイネージアプリケーション３００の画面表示がＯＮの状態で音声モードが起動されたときに、図４の処理を行った場合の画面フローを示した図である。
【図１４（ｂ）】サイネージアプリケーション３００の画面表示がＯＮの状態で音声モードが起動されたときに、図４の処理を行った場合の画面フローを示した図である。
【図１５】画面拡大機能に関する画面例を示した図である。
【発明を実施するための形態】
【００１０】
以下、本発明の実施の形態について図面を参照しながら説明する。
【００１１】
（画像処理システム、及び画像処理装置１００の構成）
図１は、本発明の実施形態における画像処理システムの全体図である。画像処理装置１００はＬＡＮ１０１を介してインターネット１１０に接続されている。クライアントＰＣ１０２は、ＬＡＮ１０１を画像処理装置１００と接続されている。コンテンツサーバ１２０は、各種コンテンツを格納しており、ＬＡＮ１２１を介してインターネット１１０に接続されている。画像処理装置１００は、インターネット１１０を介してコンテンツサーバ１２０から、後述するコンテンツを取得可能である。なお、ここでは、画像処理装置１００、クライアントＰＣ１０２、コンテンツサーバ１２０が１台ずつの場合を例にして説明するが、これらの装置が複数台あっても構わない。また、コンテンツサーバ１２０の代わりに、画像処理装置１００にコンテンツを格納し、内部でコンテンツを取得して表示する構成でも良い。
【００１２】
図２は、本発明の実施形態における画像処理装置１００の構成を示すブロック図である。ＣＰＵ２０１を含む制御部２００は、画像処理装置１００全体の動作を制御する。ＣＰＵ２０１は、ＲＯＭ２０２に記憶された制御プログラムを読み出して読取制御や送信制御などの各種制御を行う。ＲＯＭ２０２はブートＲＯＭであり、システムのブートプログラムが格納されている。ＲＡＭ２０３は、ＣＰＵ２０１の主メモリ、ワークエリア等の一時記憶領域として用いられる。ＨＤＤ２０４は、画像データや各種プログラム、或いは各種情報テーブルを記憶する。また、ＨＤＤ２０４には、後述するコンテンツを記憶することも可能である。操作部Ｉ／Ｆ２０５は、操作部２０９と制御部２００とを接続するためのインタフェースである。操作部２０９には、タッチパネル機能を有する液晶表示部やキーボードなどが備えられている。
【００１３】
プリンタＩ／Ｆ２０６は、プリンタ２１０と制御部２００とを接続するためのインタフェースである。プリンタ２１０で印刷すべき画像データは、プリンタＩ／Ｆ２０６を介して制御部２００から転送され、プリンタ２１０において記録媒体上（用紙上）に印刷される。
【００１４】
スキャナＩ／Ｆ２０７は、スキャナ２１１と制御部２００とを接続するためのインタフェースである。スキャナ２１１は、原稿上の画像を読み取って画像データを生成し、スキャナＩ／Ｆ２０７を介して制御部２００に入力する。
【００１５】
ネットワークＩ／Ｆ２０８は、制御部２００をＬＡＮ１０１に接続するためのインタフェースである。ネットワークＩ／Ｆ２０８は、ＬＡＮ１０１を介してインターネット１１０に接続されている外部装置に情報を送信したり、受信したりする。
【００１６】
画像処理装置１００が有する機能（アプリケーション）のうち、代表的なものは以下の通りである。
・スキャナ２１１により原稿上の画像を読み取って生成された画像データをプリンタ２１０にて印刷する「コピー」機能
・クライアントＰＣ１０２等の外部から投入されたプリントジョブに基づいて画像データをプリンタ２１０にて印刷する「プリント」機能
・スキャナ２１１により原稿上の画像を読み取って生成された画像データをネットワークＩ／Ｆ２０８を介して外部へ送信する「スキャンして送信」機能
・スキャナ２１１により原稿上の画像を読み取って生成された画像データをＨＤＤ２０４に保存する「スキャンして保存」機能
・ＨＤＤ２０４に保存された画像データをプリンタ２１０にて印刷又はネットワークＩ／Ｆ２０８を介して外部へ送信する「保存ファイルの利用」機能
・Ｗｅｂブラウザを介してＷｅｂサーバ上のデータを閲覧、印刷、保存する「ブラウザ」機能
【００１７】
図３は、画像処理装置１００を含むシステム全体のソフトウェア構成を説明する図である。図３に示す各機能部は、画像処理装置１００内のＣＰＵ２０１が、ＲＯＭ２０２もしくはＨＤＤ２０４に格納された制御プログラムを読み出して実行することで実現される。
【００１８】
画像処理装置１００は、サイネージアプリケーション３００、認証処理部３０８、オートクリア処理部３０９、音声モード管理部の機能を有する。
【００１９】
サイネージアプリケーション３００は、画像処理装置１００に搭載された組み込みのソフトウェアプログラムである。サイネージアプリケーション３００は、外部通信部３０１、コンテンツ表示部３０２、表示制御部３０３、コンテンツ設定部３０４、コンテンツ管理部３０５、コンテンツ設定管理テーブル３０６、イベント受信部３０７を持つ。
【００２０】
外部通信部３０１は、コンテンツサーバ１２０と通信を行ない、コンテンツサーバ１２０で管理されているコンテンツやコンテンツ設定管理テーブルを取得する。また、外部通信部３０１とコンテンツサーバ１２０間で通信するための通信プロトコルは、ＳＭＢ、ＷｅｂＤＡＶ、ＨＴＴＰである。ＳＭＢは、Ｓｅｒｖｅｒ  Ｍｅｓｓａｇｅ  Ｂｌｏｃｋの略であり、ＷｅｂＤＡＶは、Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇの略である。また、ＨＴＴＰは、Ｈｙｐｅｒｔｅｘｔ  Ｔｒａｎｓｆｅｒ  Ｐｒｏｔｏｃｏｌの略である。なお、電子メールやファイル転送プロトコル（ＦＴＰ）等の、他の通信プロトコルを用いても良い。
【００２１】
コンテンツ表示部３０２は、コンテンツサーバ１２０又はＨＤＤ２０４に生成されたコンテンツのキャッシュをＲＡＭ２０３に読み込み、操作部２０９に出力する。コンテンツとは、テキストデータ、ＨＴＭＬ、画像ファイル（ＪＰＥＧ、ＧＩＦ、ＰＮＧ、ＢＭＰ等）、動画ファイル等のＷｅｂブラウザで閲覧可能なデータを指す。
【００２２】
表示制御部３０３は、アプリケーションごとに管理されている画面を切り替えて、操作部２０９に出力する。
【００２３】
コンテンツ設定部３０４は、表示するコンテンツを設定する。具体的には、クライアントＰＣ１０２が有するＷｅｂブラウザを用いて画像処理装置１００が有するＷｅｂサーバにアクセスし、特定のイベント発生時に表示すべきコンテンツをユーザに設定させる。コンテンツ設定部３０４は、コンテンツの設定が完了した際に、コンテンツ設定更新イベントを、イベント受信部３０７に送信する。
【００２４】
図５−１〜図５−３は、コンテンツを設定するための画面の例を示した図である。上述したとおり、クライアントＰＣ１０２が有するＷｅｂブラウザを用いて画像処理装置１００のＷｅｂサーバにアクセスすることで、これらの画面が表示される。
【００２５】
図５−１（ａ）は、認証情報を入力するための認証画面の画面例を示した図である。この認証画面を介してユーザがユーザ名、パスワードを入力し、ログインボタンを押下すると、認証処理部３０８はユーザ認証及びログイン処理を行う。ここで、管理者権限を持つユーザがログインすると、図５−１（ｂ）の画面が表示される。
【００２６】
図５−１（ｂ）は、管理者権限を持つユーザに、画像処理装置１００に関する各種設定を行わせるための画面の例を示した図である。画面左側に位置するメニューの中からいずれかの設定項目が選択されると、それに応じた詳細の設定項目が画面右側に表示される。例えば、ユーザが設定項目「ライセンス／その他」５０１を選択すると、図５−２（ａ）の画面が表示される。
【００２７】
図５−２（ａ）は、ライセンス／その他に関する詳細な設定を行うための画面の例を示した図である。設定項目５０２を含む各設定項目は、ハイパーリンクになっており、選択すると、その設定項目に応じたＷｅｂページが表示される。ユーザが設定項目５０２を選択すると、図５−３（ａ）〜（ｃ）に示すサイネージアプリケーション３００の設定画面が表示される。
【００２８】
一方、図５−１（ａ）において、管理者権限を持たないユーザがログインした場合、図５−２（ｂ）の画面が表示される。
【００２９】
図５−２（ｂ）は、管理者権限を持たないユーザに、画像処理装置１００に関する各種設定を行わせるための画面の例を示した図である。この画面では、図５−１（ｂ）の画面で表示されていた設定項目５０１が表示されないため、管理者権限を持たないユーザは、サイネージアプリケーション３００の設定画面を表示させることが出来ない。このように、管理者権限を持つユーザにのみサイネージアプリケーション３００の設定画面を表示させることにより、コンテンツの設定が出来るユーザを、管理者に限定することが出来る。なお、本実施形態では、コンテンツの設定が出来るユーザを、画像処理装置１００全体の管理者権限を有するユーザに限定しているが、管理者権限を持たない一般のユーザも設定できるようにしても良い。また、画像処理装置１００全体の管理者権限とは別に、サイネージアプリケーション３００独自の管理者権限を設けて、その権限を持つユーザのみコンテンツの設定ができるようにしても良い。
【００３０】
図５−３（ａ）〜（ｃ）は、サイネージアプリケーション３００の設定画面の例を示した図である。チェックボックス５０３は、サイネージアプリケーション３００の表示のＯＮ／ＯＦＦを切り替えるための設定項目である。チェックボックス５０３がチェックされていない場合、図５−３（ａ）のように他の設定項目が網掛け表示され、入力できない状態になる。チェックボックス５０３がチェックされた場合、図５−３（ｂ）（ｃ）のように、設定可能な項目が、網掛けされていない状態で表示される。
【００３１】
ラジオボタン５０４は、外部通信部３０１とコンテンツサーバ１２０間の通信プロトコルを選択するボタンである。ラジオボタン５０４をＳＭＢに選択した場合、図５−３（ｂ）のように、ＳＭＢに関する設定項目の網掛けが解除され、各設定項目を入力できるようになる。ラジオボタン５０４をＨＴＴＰ／ＷｅｂＤＡＶに選択した場合、図５−３（ｃ）のように、ＨＴＴＰ／ＷｅｂＤＡＶに関する設定項目の網掛けが解除され、各設定項目を入力できるようになる。
【００３２】
テキストボックス５０５は、通信プロトコルをＳＭＢに設定した際に表示されるコンテンツのパスを入力するための入力フィールドである。パスとは、コンテンツの格納場所を示す文字列であり、ＳＭＢの場合、コンピュータ名、フォルダ名、ファイル名等を￥（円記号）や＼（バックスラッシュ）で区切って示したものである。テキストボックス５０６は、通信プロトコルをＳＭＢに設定した際に表示されるコンテンツのパスにアクセスする際に使用するユーザ名を入力するための入力フィールドである。
【００３３】
テキストボックス５０７は、通信プロトコルをＳＭＢに設定した際に表示されるコンテンツのパスにアクセスする際に使用するパスワードを入力するための入力フィールドである。
【００３４】
テキストボックス５０８は、通信プロトコルをＨＴＴＰ／ＷｅｂＤＡＶに設定した際に表示されるコンテンツのパスを入力するための入力フィールドである。ＨＴＴＰ／ＷｅｂＤＡＶの場合のパスは、コンテンツの格納場所を示すコンピュータ名、フォルダ名、ファイル名等を／（スラッシュ）で区切って示したものである。
【００３５】
テキストボックス５０９は、通信プロトコルをＨＴＴＰ／ＷｅｂＤＡＶに設定した際に表示されるコンテンツのパスにアクセスする際に使用するユーザ名を入力するための入力フィールドである。
【００３６】
テキストボックス５１０は、通信プロトコルをＨＴＴＰ／ＷｅｂＤＡＶに設定した際に表示されるコンテンツのパスにアクセスする際に使用するパスワードを入力するための入力フィールドである。
【００３７】
チェックボックス５１１、５１２は、通信プロトコルをＨＴＴＰ／ＷｅｂＤＡＶに設定した際に暗号化通信を行う場合の設定を入力するための設定項目である。
【００３８】
ＯＫボタン５１３は、５０３〜５１２に設定された項目を、後述するコンテンツ設定管理テーブル３０６に記憶させるためのボタンである。ＯＫボタン５１３が押下されると、５０３〜５１２の設定がコンテンツ設定管理テーブル３０６に記憶され、図５−２（ａ）の画面に戻る。
【００３９】
キャンセルボタン５１４は、５０３〜５１２に設定された項目をコンテンツ設定管理テーブル３０６に記憶せず、図５−２（ｂ）の画面に戻るためのボタンである。
【００４０】
このように、ユーザは図５−１〜図５−３に示す設定画面を介して、サイネージアプリケーション３００に表示させるコンテンツを特定するための特定情報を設定・登録することができる。なお、ここでは、コンテンツをクライアントＰＣ１０２から設定させる例について示したが、画像処理装置１００の操作部２０９を用いて設定させるようにしても良い。
【００４１】
図３の説明に戻る。コンテンツ管理部３０５は、コンテンツ設定部３０４より設定された内容に基づき、コンテンツのパス等をコンテンツ設定管理テーブル３０６に記憶する。また、コンテンツ管理部３０５は、コンテンツ設定管理テーブル３０６より記憶された設定を取得し、コンテンツ表示部３０２に通知する。
【００４２】
コンテンツ設定管理テーブル３０６は、コンテンツ設定部３０４より設定されたサイネージアプリケーション３００の設定値を管理するための管理テーブルである。
【００４３】
図６は、コンテンツ設定管理テーブル３０６の一例を示す図である。ここでは、図５−３（ｃ）に示す設定画面を介して入力された内容に基づいて生成・更新されたコンテンツ設定管理テーブル３０６を示している。なお、コンテンツ設定管理テーブル３０６は、画像処理装置１００のＨＤＤ２０４に記憶しても良いし、コンテンツサーバ１２０に記憶するようにしても良い。
【００４４】
６０１は、サイネージアプリケーション３００のそれぞれの設定項目に対応するキーを示す。６０２は、サイネージアプリケーション３００のそれぞれの設定項目のキーに対応する値を示す。コンテンツ管理部３０５は、キー６０１を基に、コンテンツ設定管理テーブル３０６を参照することにより、それぞれの設定項目に関する設定値６０２を取得する。
【００４５】
６０３は、サイネージアプリケーション３００の表示のＯＮ／ＯＦＦを示す項目であり、０がＯＦＦ、１がＯＮであることを示す。図５−３のチェックボックス５０３の設定が更新された際は、この値が更新される。
【００４６】
６０４は、外部通信部３０１とコンテンツサーバ１２０間の通信プロトコルを示す項目であり、０がＳＭＢ、１がＨＴＴＰ／ＷｅｂＤＡＶであることを示す。図５−３のラジオボタン５０４の設定が更新された際は、この値が更新される。
【００４７】
６０５は、通信プロトコルをＳＭＢに設定した際に表示されるコンテンツのパスを示す項目である。図５−３のテキストボックス５０５の設定が更新された際は、この値が更新される。
【００４８】
６０６は、通信プロトコルをＳＭＢに設定した際に表示されるコンテンツのパスにアクセスする際に使用するユーザ名を示す項目である。図５−３のテキストボックス５０６の設定が更新された際は、この値が更新される。
【００４９】
６０７は、通信プロトコルをＳＭＢに設定した際に表示されるコンテンツのパスにアクセスする際に使用するパスワードを示す項目である。図５−３のテキストボックス５０７の設定が更新された際は、この値が更新される。
【００５０】
６０８は、通信プロトコルをＨＴＴＰ／ＷｅｂＤＡＶに設定した際に表示されるコンテンツのパスを示す項目である。図５−３のテキストボックス５０８の設定が更新された際は、この値が更新される。
【００５１】
６０９は、通信プロトコルをＨＴＴＰ／ＷｅｂＤＡＶに設定した際に表示されるコンテンツのパスにアクセスする際に使用するユーザ名を示す項目である。図５−３のテキストボックス５０９の設定が更新された際は、この値が更新される。
【００５２】
６１０は、通信プロトコルをＨＴＴＰ／ＷｅｂＤＡＶに設定した際に表示されるコンテンツのパスにアクセスする際に使用するパスワードを示す項目である。図５−３のテキストボックス５１０の設定が更新された際は、この値が更新される。
【００５３】
６１１、６１２は、通信プロトコルをＨＴＴＰ／ＷｅｂＤＡＶに設定した際に暗号化通信を行う場合の設定を示す項目である。図５−３のチェックボックス５１１、５１２の設定が更新された際は、この値が更新される。
【００５４】
図３の説明に戻る。イベント受信部３０７は、認証処理部３０８やオートクリア処理部３０９から通知される各種イベントを受信する。
【００５５】
認証処理部３０８は、認証画面を操作部２０９やクライアントＰＣ１０２に表示させ、ユーザから入力されたユーザＩＤやパスワード等の認証情報を用いてユーザ認証を行う。ユーザ認証が成功した場合には、認証処理部３０８は、当該ユーザを画像処理装置１００にログインさせるためのログイン処理を行う。ログアウトの指示がされた時には、認証処理部３０８は、ログイン中のユーザを画像処理装置からログアウトさせるためのログアウト処理を行う。ログアウトの指示は、操作部２０９上に表示されるログアウトボタンがユーザにより押下された場合、又は、後述するオートクリア処理が実行された場合に発行される。認証処理部３０８は、ログイン処理、ログアウト処理が行われた際に、それぞれ処理が行われたことを示すイベント（ログインイベント、ログアウトイベント）を、イベント受信部３０７に送信する。
【００５６】
また、認証処理部３０８は、後述する通り、認証画面の表示設定に基づいて、認証画面の表示タイミングの制御を行う。
【００５７】
オートクリア処理部３０９は、操作部２０９に対する操作が所定時間行われなかった場合に（以下、「所定時間」をオートクリア移行時間と称する）、オートクリア処理を実行する。オートクリア処理とは、表示されている画面での設定値／設定状態をクリアして初期値に戻す処理である。例えば、コピーに関する各種設定を行うためのコピー画面を介して設定をしている途中でユーザが画像処理装置１００の前を離れ、そのままオートクリア移行時間が経過すると、途中まで設定されていた設定値がクリアされ、デフォルト設定値に戻る。オートクリア機能により、直前に使用していたユーザの設定状態を意図せずに引き継いで想定していなかった設定でコピー等を実行してしまうことや、次に使用するユーザに開示してはいけない設定内容が見えてしまうこと等を防ぐことができる。オートクリア処理部３０９は、オートクリア処理が行われた際に、オートクリアイベントをイベント受信部３０７に送信する。また、オートクリア処理が行われた際、認証処理部３０８はログイン中のユーザをログアウトさせるためのログアウト処理を実行する。なお、オートクリア移行時間は、ユーザが任意に設定することが可能である。
【００５８】
また、オートクリア処理時に遷移する画面を設定することも可能である。オートクリア時に遷移する画面として初期画面が設定されていた場合は、操作部２０９の画面はそれまで表示されていた画面から初期画面に切り替わる。初期画面とは、起動時に表示する画面としてユーザによりあらかじめ設定された画面である。例えば、画像処理装置１００が有する複数の機能（アプリケーション、ファンクション）の中から使用する機能を選択するためのメインメニュー画面や、各機能に対応するアプリケーション画面等が設定可能である。以下の説明では、オートクリア時に遷移する画面として初期画面が設定されており、初期画面としてメインメニュー画面が設定されている例について説明する。
【００５９】
音声モード管理部３１０は、操作部２０９によって所定の操作が行われた際に、起動する音声モードを選択するための音声モード画面を操作部２０９に表示する。所定の操作とは、例えば何らかのボタンの長押しである。音声モード管理部３１０は、音声モードが起動している間、音声モードを有効状態として保持する。音声モードの詳細については後述する。
【００６０】
（ユーザ認証の設定）
図７は、ユーザ認証に関する設定を行うための画面例を示す図である。図７に示す画面は、管理者権限を有するユーザがログインした際のみ表示可能な画面である。
【００６１】
図７（ａ）は、ユーザ認証を使用するか否かを設定するための画面である。ボタン７０１は、ユーザ認証を有効にするためのボタンであり、このボタンが選択されている場合、認証画面が表示され、画像処理装置１００の各機能を使用するためにユーザ認証が必要になる。ボタン７０２は、ユーザ認証を無効にするためのボタンであり、このボタンが選択されている場合、認証画面が表示されず、ユーザ認証せずに画像処理装置１００の各機能を使用することができる。
【００６２】
図７（ｂ）（ｃ）は、認証画面の表示設定を切り替えるための画面であり、この画面の設定に応じて、ユーザ認証が行われるタイミングを決定する。図７（ｂ）はボタン７０３が選択されているときの画面であり、図７（ｃ）はボタン７０４が選択されているときの画面である。
【００６３】
ボタン７０３は、画像処理装置１００の操作開始時に認証画面を表示する設定を行うためのボタンであり、このボタンが選択されている場合、ユーザが操作を開始する際に認証画面が表示され、ユーザ認証が必要となる。つまり操作開始時に認証画面を表示する設定がされている場合、どの機能を利用するにしても最初にユーザ認証が必要となる。
【００６４】
ボタン７０４は、各機能を選択した際に認証画面を表示する設定を行うためのボタンである。ボタン７０４が押下されると、図７（ｃ）に示す通り、ユーザ認証が必要な機能等を選択するための画面７０５がポップアップ表示される。ここで、ボタン７０６が選択されると、図７（ｄ）の画面に切り替わる。
【００６５】
図７（ｄ）は、画像処理装置１００が有する複数の機能のうち、ユーザ認証が必要な機能を選択するための画面である。図７（ｄ）の画面を介して、ユーザ認証が必要な機能として選択された機能については、当該機能を使用する際に認証画面が表示される。一方、ユーザ認証が必要な機能として選択されなかった機能については、ユーザ認証を行うことなく当該機能を使用することができる。図７（ｄ）では、「コピー」、「保存ファイルの利用」、「プリント」の各機能についてはユーザ認証が必要な機能として選択されている。一方、「スキャンして保存」、「スキャンして送信」、「ブラウザ」の各機能についてはユーザ認証が不要な機能である。このように、ボタン７０４が選択されている場合、画像処理装置１００の操作開始時には認証画面が表示されず、ユーザが各機能を使用する際に、選択された機能によっては認証画面が表示され、ユーザ認証が必要となる。
【００６６】
（サイネージアプリケーション３００の概要）
ここで、本実施形態におけるサイネージアプリケーション３００の機能の概要について説明する。まず、サイネージアプリケーション３００の機能を説明するまえに、サイネージアプリケーション３００の機能が無効になっている場合の画像処理装置１００の動作について説明する。
【００６７】
図８は、サイネージアプリケーション３００の画面表示がＯＦＦに設定されている場合に操作部２０９に表示される画面のフローを示した図である。
【００６８】
図８（ａ）（ｂ）は、図７（ａ）の画面でボタン７０１が選択された場合、すなわち、ユーザ認証機能がＯＮに設定された場合の画面フローを示した図である。
【００６９】
図８（ａ）は、図７（ｂ）の画面でボタン７０３が選択された場合、すなわち、認証画面を操作開始時に表示する設定がされた場合の画面フローを示した図である。ユーザが画像処理装置１００の電源をＯＮにし、操作を開始する際、最初に認証画面８０１が表示され、ユーザは認証情報を入力する必要がある。なお、認証情報の入力方法としては、ユーザが手入力で行っても構わないし、他の方法で入力しても構わない。例えば、認証情報が記憶された非接触通信カードを画像処理装置にかざすことにより、当該認証情報を画像処理装置が読み取ってユーザ認証を行えるようにしてもよい。認証画面８０１を介してユーザが入力した認証情報に基づくユーザ認証が成功し、ログイン処理が完了すると、画像処理装置１００が有する複数の機能の中から所望の機能を選択するためのメインメニュー画面８０２が表示される。メインメニュー画面８０２において、ユーザがいずれかの機能選択ボタンを押下すると、その機能に対応する画面が表示される。例えば、「コピー」ボタンが選択されると、コピーに関する各種設定を行うためのコピーアプリケーション画面８０３が表示される。また、「スキャンして保存」ボタンが選択されると、スキャンした画像データの保存先を選択するための「スキャンして保存」アプリケーション画面８０４が表示される。なお、ユーザが操作部２０９を操作しないままオートクリア移行時間が経過した場合、オートクリア処理が行われる。オートクリア処理が行われると、ユーザが自動的にログアウトされ、再度認証画面８０１が表示される。例えば画面８０２、８０３、８０４のいずれかの画面を表示したまま、ユーザが操作部２０９を操作せずにオートクリア移行時間が経過すると、オートクリア処理及びログアウト処理が行われ、認証画面８０１の表示に切り替わる。
【００７０】
図８（ｂ）は、図７（ｃ）の画面でボタン７０４が選択された場合、すなわち、認証画面を機能選択時に表示する設定がされた場合の画面フローを示した図である。また、図７（ｄ）に示す通り、認証が必要な機能として、「コピー」、「保存ファイルの利用」、「プリント」機能が選択されているものとする。ユーザが画像処理装置１００の電源をＯＮにし、操作部２０９で操作を開始する際、最初にメインメニュー画面８０２が表示される。メインメニュー画面８０２においてユーザにより選択された機能が、認証が必要な機能として選択された機能であれば、当該機能に対応するアプリケーション画面に遷移する前に認証画面８０１が表示される。例えば、「コピー」ボタンが選択されると、認証画面８０１が表示される。ユーザが認証情報を入力し、ユーザ認証が成功すると、コピーアプリケーション画面８０３が表示される。一方、メインメニュー画面において選択された機能が、認証が不要な機能であれば、認証画面を表示することなく、当該選択された機能に対応するアプリケーション画面に遷移する。例えば、「スキャンした保存」ボタンが選択されると、画面８０４が表示される。また、ユーザが操作部２０９を操作しないままオートクリア移行時間が経過し、オートクリア処理が行われると、ユーザが自動的にログアウトされ、メインメニュー画面８０２に戻る。
【００７１】
図８（ｃ）は、図７（ａ）の画面でボタン７０２が選択された場合、すなわち、ユーザ認証機能がＯＦＦに設定された場合の画面フローを示した図である。ユーザが画像処理装置１００の電源をＯＮにし、操作部２０９で操作を開始する際、メインメニュー画面８０２が最初に表示される。メインメニュー画面８０２において、ユーザがいずれかの機能選択ボタンを押下すると、選択された機能に対応するアプリケーション画面が表示される。例えば、「コピー」ボタンが選択されると、画面８０３が表示され、「スキャンして保存」ボタンが選択されると、画面８０４が表示される。また、ユーザが操作部２０９を操作しないままオートクリア移行時間が経過すると、オートクリア処理が行われ、初期画面として設定されているメインメニュー画面８０２に戻る。
【００７２】
このように、図７（ａ）の画面を介してユーザ認証するか否かを設定することにより、認証画面を表示するか否かを切り替えることができる。また、図７（ｂ）の画面を介した設定により、認証画面を表示させるタイミングを、操作開始時に表示するか、各機能が選択された際に表示するかを切り替えることが出来る。また、これらユーザ認証に関する設定に従って、オートクリア時に表示される画面も切り替わる。
【００７３】
次に、サイネージアプリケーション３００の画面表示がＯＮに設定されている場合に操作部２０９に表示される画面について説明する。
【００７４】
図９は、サイネージアプリケーション３００により、予め設定されたコンテンツが表示された時の画面例を示した図である。コンテンツ９０１は、コンテンツサーバ１２０より取得したコンテンツが表示されたものである。ここでは、図６のコンテンツ設定管理テーブル３０６より、「ｈｔｔｐｓ：／／ｇｕｅｓｔ＿ｗｅｂｄａｖ／ｓｉｇｎａｇｅ．ｈｔｍｌ」で示されるＨＴＭＬファイルが表示されている。ユーザが閉じるボタン９０２を押下すると、コンテンツ９０１は非表示となる。なお、図９では、防災訓練のお知らせが表示されている。このように、従業員に対する通達事項をコンテンツとして登録し、サイネージアプリケーション３００を用いて画像処理装置１００に表示させることにより、従業員に対する情報共有の支援、企業の情報統制等に活用することができる。
【００７５】
続いて、サイネージアプリケーション３００の特徴である、コンテンツの表示タイミングについて説明する。上述したとおり、図７の画面を介したユーザ認証に関する設定に応じて、表示される画面のフローは異なる。本実施形態では、画像処理装置１００をサイネージとして有効活用するために、この画面フローの違いを考慮して、ユーザ認証に関する設定に応じた適切なタイミングでコンテンツを表示させるようにしている。
【００７６】
図１０は、サイネージアプリケーション３００の画面表示がＯＮに設定されている場合に操作部２０９に表示される画面のフローを示した図である。図８と同じ画面については同じ符号を付すことにより、図８で示す画面フローとの差異を明示することにする。
【００７７】
図１０（ａ）（ｂ）は、図７（ａ）の画面でボタン７０１が選択された場合、すなわち、ユーザ認証機能がＯＮに設定された場合の画面フローを示した図である。
【００７８】
図１０（ａ）は、図７（ｂ）の画面でボタン７０３が選択された場合、すなわち、認証画面を操作開始時に表示する設定がされた場合の画面フローを示した図である。図８（ａ）と比較すると、認証画面８０１を介してユーザにより入力された認証情報に基づいてユーザ認証が成功し、ログイン処理が完了すると、サイネージアプリケーション３００の画面１００１が表示される。この画面１００１は、図９で示した画面と同一である。ここで、閉じるボタンが押下されると、画面１００１が非表示となり、メインメニュー画面８０２が表示される。
【００７９】
このように、認証画面を操作開始時に表示する設定がされている場合、ユーザのログインが完了したタイミングで、サイネージアプリケーション３００によりコンテンツが表示される。よって、ユーザが画像処理装置１００を使い始めたときにコンテンツが表示されることとなるので、ユーザの注意を惹くことができ、社内の通達事項等を効果的にユーザに知らしめることが可能となる。
【００８０】
図１０（ｂ）は、図７（ｃ）の画面でボタン７０４が選択され、すなわち、認証画面を機能選択時に表示する設定がされた場合の画面フローを示した図である。また、図７（ｄ）に示す通り、認証が必要な機能として、「コピー」、「保存ファイルの利用」、「プリント」機能が選択されているものとする。
【００８１】
この場合、認証画面８０１を介して入力された情報に基づきユーザ認証及びログイン処理が完了しても、サイネージアプリケーション３００の画面は表示されない。その代わり、ユーザが操作部２０９を操作しないままオートクリア移行時間が経過し、オートクリア処理が行われると、サイネージアプリケーション３００の画面１００１が表示される。そして、閉じるボタンが押下されると、画面１００１が非表示となり、メインメニュー画面８０２が表示される。
【００８２】
このように、図７（ｂ）を介して、認証画面を機能選択時に表示する設定がされている場合、ユーザがログインしたタイミングでコンテンツを表示せずに、オートクリアが発生したタイミングで、コンテンツが表示される。仮に、認証画面を操作開始時に表示する設定がされた場合と同様に、ログインしたタイミングでコンテンツを表示するようにしたとしても、ユーザ認証が必要な機能がユーザにより選択された場合はコンテンツが表示されることになる。一方、ユーザ認証が不要な機能が選択された場合には、ログインが行われないため、コンテンツが表示されることもない。例えば、「スキャンして保存」機能を頻繁に使用し、「コピー」機能をほとんど使用しないユーザにとっては、コンテンツを目にする機会がほとんどなくなってしまう。これに対し、コンテンツの表示タイミングをオートクリア発生時にすることにより、オートクリア後に画像処理装置１００を使用するユーザが操作部２０９を最初に操作するときにはコンテンツを見ることとなる。よって、使用される機能に関係なく画像処理装置１００の待機中に宣伝用の端末として利用することが可能となり、通達事項等を効果的にユーザに知らしめることができる。
【００８３】
図１０（ｃ）は、図７（ａ）の画面でボタン７０２が選択された場合、すなわち、ユーザ認証機能がＯＦＦに設定された場合の画面フローを示した図である。
【００８４】
この場合、図１０（ｂ）の場合と同様に、オートクリアが発生したタイミングでサイネージアプリケーション３００の画面１００１が表示される。
【００８５】
このように、ユーザ認証機能を使用しない設定がされている場合であっても、オートクリアが発生したタイミングでコンテンツを表示することにより、画像処理装置１００をサイネージとして有効活用することができる。
【００８６】
以上のように、表示すべきコンテンツを予め登録しておくことで、特定のイベントが発生したタイミングで、登録されたコンテンツを表示できる。特に、ユーザ認証に関する設定に応じて、サイネージアプリケーション３００の表示タイミングを決定することにより、適切なタイミングで情報をユーザに見せることができ、より効果的にユーザに情報を伝達することが可能となる。具体的には、操作開始時に認証画面を表示する設定の場合、すなわち、いずれの機能を使用する場合でもユーザ認証が必要な設定の場合は、ユーザのログインが完了したタイミングでコンテンツを表示させる。これにより、画像処理装置１００を使用するユーザは、必ずコンテンツを目にすることになる。一方、機能選択時に認証画面を表示する設定の場合、すなわち、ユーザ認証を必要とするか否かが機能ごとに決められている設定の場合、並びにユーザ認証を行わない設定の場合は、オートクリアが発生したタイミングでコンテンツを表示させる。これにより、オートクリア発生後に次に画像処理装置１００を使用するユーザは必ずコンテンツを目にすることになる。このように、従業員等に知らせたい情報等をコンテンツとしてあらかじめ登録しておけば、ユーザ認証の設定に応じて自動的にコンテンツの表示タイミングも変更されるので、表示タイミングを別途設定する必要がなく、ユーザの利便性が向上する。
【００８７】
（音声モードの概要）
続いて、本実施形態における音声モードの概要について説明する。
【００８８】
図１１は、音声モードの起動に関する画面例を示す図である。以下、図１１を用いて、本実施形態における音声モードの起動方法を説明する。
【００８９】
図１１は、音声モード管理部３１０が操作部２０９に表示する音声モード選択画面である。上述したとおり、所定のボタンの長押しなど、操作部２０９によって所定の操作が行われた際にこの画面が表示される。ボタン１１０１は、音声ガイダンス機能と音声発声操作機能をどちらもＯＮにするための選択ボタンである。ここで、音声ガイダンス機能とは、画像処理装置１００を操作する際に、画面上の操作を音声でガイダンス（読み上げる）する機能である。例えば、コピーに関する各種設定を行うためのコピー画面において、現在設定されている設定値を音声にて説明する。また、音声認識機能とは、ユーザにより発せられた音声を認識し、認識結果に応じて画像処理装置１００を操作する機能である。例えば、ユーザの「コピー」という発声を認識して、コピーアプリを立ち上げる。ボタン１１０２は、音声認識機能のみをＯＮにするための選択ボタンである。ボタン１１０３は音声ガイダンス機能のみをＯＮにするための選択ボタンである。ボタン１１０４は、ボタン１１０１、１１０２、１１０３によって選択した音声モードを起動するためのボタンであり、ボタン１１０４が押下されると、選択済みの機能で音声モードが起動する。なお、図１１（ａ）は、ボタン１１０１が選択されている状態を示している。
【００９０】
図１２は、音声モードを利用するユーザが画像処理装置１００を操作する際の一般的な画面フローを示した図である。ここでは、音声モードの基本的な動きを説明するため、サイネージアプリケーション３００の画面表示がＯＦＦに設定されている場合について説明する。なお、図１２は、図７（ｂ）の画面でボタン７０３が選択された場合、すなわち、認証画面を操作開始時に表示する設定がされた場合の画面フローを示した図である。
【００９１】
まず、音声モードを利用するユーザは、主に全盲者や弱視者であり、音声モードを起動するタイミングとしては主に２つのケースがある。１つ目のケース（以下、ケースＡとする）は、画像処理装置１００が起動し、最初に認証画面８０１が表示された際に音声モードを起動するケースである。２つ目のケース（以下ケースＢとする）は、例えば認証画面８０１で非接触通信カードを用いてユーザ認証を行い、ログイン完了に応じてメインメニュー画面８０２が表示された際に音声モードを起動するケースである。以下ではこの２つのケースそれぞれについて説明する。
【００９２】
図１２（ａ）はケースＡにおける画面フローを示した図である。
【００９３】
ユーザが画像処理装置１００の電源をＯＮにし、画像処理装置１００が起動すると、ユーザが認証情報を入力するための認証画面８０１が最初に表示される。音声モードを利用するユーザが、認証画面８０１を表示中に所定の操作を行うと、音声モード選択画面１３０１が表示される。音声モード選択画面１３０１において、ユーザが音声モードの起動操作を行った場合、音声モードが起動され、再び認証画面８０１が表示される。以降の画面では、起動された音声モードの機能に応じて、音声での読み上げ及び／又は音声認識に伴う操作が行われる。認証画面８０１を介してユーザが音声等で入力した認証情報に基づくユーザ認証が成功し、ログイン処理が完了すると、メインメニュー画面８０２が表示される。メインメニュー画面８０２において、ユーザがいずれかの機能選択ボタンを押下するか、いずれかの機能名称を発声すると、その機能に対応する画面が表示される。例えば、ユーザが「コピー」と発声すると、コピーに関する各種設定を行うためのコピーアプリケーション画面８０３が表示される。なお、ユーザが操作部２０９を操作しないままオートクリア移行時間が経過した場合、オートクリア処理が行われる。オートクリア処理が行われると、ユーザが自動的にログアウトされ、再度認証画面８０１が表示される。
【００９４】
図１２（ｂ）は、ケースＢにおける画面フローを示した図である。
【００９５】
ユーザが画像処理装置１００の電源をＯＮにし、画像処理装置１００が起動すると、ユーザが認証情報を入力するための認証画面８０１が最初に表示される。ユーザが非接触通信カードをかざすことにより、非接触通信カードに記憶された認証情報が画像処理装置１００により読み取られ、ユーザ認証及びログインが完了すると、メインメニュー画面８０２に遷移する。メインメニュー画面８０２表示中にユーザが所定の操作を行うと、音声モード選択画面１３０１が表示される。音声モード選択画面１３０１において、ユーザが音声モードの起動操作を行うと、メインメニュー画面８０２に戻る。そして、上述したとおり、ユーザがいずれかの機能選択ボタンを押下するか、いずれかの機能名称を発声すると、その機能に対応する画面（コピーアプリケーション画面８０３等）が表示される。ユーザが操作部２０９を操作しないままオートクリア移行時間が経過した場合、オートクリア処理が行われる。オートクリア処理が行われると、ユーザが自動的にログアウトされ、再度認証画面８０１が表示される。なお、音声モード選択画面１３０１への遷移は、メインメニュー画面８０２からでなくても可能である。例えば、画面８０３を表示中に、所定の操作が行われた場合も音声モード選択画面１３０１に遷移する。
【００９６】
（サイネージアプリケーション３００と音声モードを共存させた場合の課題）
次に、画像処理装置１００におけるサイネージアプリケーション３００の画面表示がＯＮの状態で音声モードが起動された場合の問題点について説明する。
【００９７】
図１３は、サイネージアプリケーション３００の画面表示がＯＮの状態で音声モードが起動されたときに、サイネージアプリケーション３００の画面を表示するようにした場合の画面フローを示した図である。ここでは、図１２と比較するため、ユーザ認証機能がＯＮに設定され、認証画面を操作開始時に表示する設定がされた場合の画面フローを示している。
【００９８】
図１３（ａ）は、上述したケースＡにおける画面フローを示した図である。図１２（ａ）と比較すると、認証画面８０１を介してユーザにより認証情報が入力され、ユーザ認証、及びログイン処理が完了すると、サイネージアプリケーション３００の画面１００１が表示される。ここで、音声モードのメインユーザは全盲者であり、そもそも全盲者にはサイネージの効果はないため不要な情報となる。加えて、全盲者は画像処理装置の操作方法を操作ステップ数で学習している。そのため、画像処理装置の操作ステップ数に変化が発生すると、全盲者は画像処理装置の操作が困難になってしまう。上述したとおり、ケースＡでは、全盲者が音声モードを起動するタイミングは、画像処理装置の操作開始時、つまりは認証画面８０１である。その場合、認証画面８０１から音声モード選択画面１３０１に遷移し、音声モードを起動後に認証画面８０１に戻り、その後、全盲者は音声モードを活用してログイン処理に進む。この時、通常であれば、ログイン処理後はメインメニュー画面８０２に進むが、サイネージアプリケーション３００の画面表示がＯＮに設定されている場合は、その前に画面１００１が表示されてしまう。そうすると、例えば、メインメニュー画面８０２での各種機能の音声での読み上げが行われるものと記憶している全盲者は、いつになっても読み上げが開始されないため、何が起きているのか分からなくなってしまう。また、全盲者は画面１００１の閉じるボタンを押すことは困難であるため、次の画面に進むこともできない。このように操作ステップ数が増加すると、全盲者にとっては画像処理装置の操作性の低下に繋がる。
【００９９】
図１３（ｂ）は、ケースＢにおける画面フローを示した図である。図１２（ｂ）と比較すると、認証画面８０１表示中にユーザが非接触通信カードをかざし、ユーザ認証及びログイン処理が完了すると、サイネージアプリケーション３００の画面１００１が表示される。ここで、全盲者はサイネージアプリケーション３００が表示されたことに気づかない。よって、通常と同様に所定の操作を行えば、音声モード選択画面１３０１が表示され、ユーザは所望の機能で音声モードを起動することができる。しかしながら、音声モードが起動されると、再度サイネージアプリケーション３００の画面１００１が表示されることとなる。ここで、全盲者は音声モード起動後にメインメニュー画面８０２での操作を行うものと記憶しているのが通常である。この場合に画面１００１が表示されてしまうと、図１３（ａ）の場合と同様の問題が生じる。
【０１００】
このように、サイネージアプリケーション３００と音声モードを共存させると、音声モードを使用するユーザにとっては、操作性の低下につながる恐れがある。そこで、以下の説明では、サイネージアプリケーション３００の画面表示がＯＮになっている場合でも、音声モードが起動されたときには、サイネージアプリケーション３００の画面を表示させないようにする処理について説明する。
【０１０１】
（本実施形態の特徴であるサイネージアプリケーション３００の画面表示がＯＮの場合に音声モードが起動されたときの処理）
図４は、ＣＰＵ２０１により実行されるコンテンツの表示処理を示すフローチャートである。
【０１０２】
Ｓ４０１において、ＣＰＵ２０１は、イベント受信部３０７により、認証処理部３０８、オートクリア処理部３０９から、ログインイベント、オートクリアイベントを受信したか判断する。いずれかのイベントを受信したとＣＰＵ２０１が判断した場合、Ｓ４０２に進む。どちらのイベントを受信していないとＣＰＵ２０１が判断した場合、Ｓ４０１に戻りイベントの受信を待つ。
【０１０３】
Ｓ４０２において、ＣＰＵ２０１は、コンテンツ管理部３０５により、コンテンツ設定管理テーブル３０６からキー６０３に対応する設定値を取得して、サイネージアプリケーション３００の表示がＯＮになっているか判断する。表示がＯＦＦになっているとＣＰＵ２０１が判断した場合、処理を終了する。表示がＯＮになっているとＣＰＵ２０１が判断した場合、Ｓ４０３に進む。
【０１０４】
Ｓ４０３において、ＣＰＵ２０１は、イベント受信部３０７により、Ｓ４０１における受信したイベントがログインイベントか、オートクリアイベントか判断する。ログインイベントであるとＣＰＵ２０１が判断した場合、Ｓ４０４に進む。オートクリアイベントであるとＣＰＵ２０１が判断した場合、Ｓ４０５に進む。
【０１０５】
Ｓ４０４において、ＣＰＵ２０１は、認証処理部３０８により、認証画面の表示設定が、操作開始時に認証画面を表示する設定であるか否かを判断する。操作開始時に認証画面を表示する設定ではないとＣＰＵ２０１が判断した場合、すなわち、機能選択時に認証画面を表示する設定の場合、処理を終了する。操作開始時に認証画面を表示する設定であるとＣＰＵ２０１が判断した場合、Ｓ４０６に進む。
【０１０６】
Ｓ４０５において、ＣＰＵ２０１は、認証処理部３０８により、認証画面の表示設定が、機能選択時に認証画面を表示する設定であるか、もしくはユーザ認証が無効の設定であるか否かを判断する。機能選択時に認証画面を表示する設定でなく、ユーザ認証が無効の設定でないとＣＰＵ２０１が判断した場合、すなわち、操作開始時に認証画面を表示する設定の場合、処理を終了する。機能選択時に認証画面を表示する設定である、もしくはユーザ認証が無効であるとＣＰＵ２０１が判断した場合、Ｓ４０６に進む。
【０１０７】
Ｓ４０６において、ＣＰＵ２０１は、音声モード管理部３１０により、音声モードが起動しているか否か、言い換えると、音声モードが有効状態か否かを判定する。音声モードが起動されている場合、Ｓ４０７以降のコンテンツ表示処理には進まず、処理を終了する。このように、サイネージアプリケーション３００の画面表示がＯＮであっても、コンテンツの表示タイミングであるユーザのログイン時、又はオートクリア時に音声モードが起動していれば、コンテンツの表示は行わない。
【０１０８】
Ｓ４０７において、ＣＰＵ２０１は、コンテンツ管理部３０５によりコンテンツ設定管理テーブル３０６を参照し、コンテンツパスを取得して、コンテンツ表示部３０２に通知する。
【０１０９】
Ｓ４０８において、ＣＰＵ２０１は、コンテンツ表示部３０２により、Ｓ４０２で取得したパスに基づいて、コンテンツサーバ１２０よりコンテンツを取得し、ＲＡＭ２０３に読み込む。
【０１１０】
Ｓ４０９において、ＣＰＵ２０１は、表示制御部３０３により、サイネージアプリケーション３００の画面の表示に切り替える。サイネージアプリケーション３００の画面には、Ｓ４０８で取得されたコンテンツがコンテンツ表示部３０２により出力されており、当該コンテンツが操作部２０９に表示される。
【０１１１】
Ｓ４１０において、ＣＰＵ２０１は、操作部２０９を介してユーザからサイネージアプリケーション３００上にある閉じるボタンが押下されたか、もしくは、音声モード管理部３１０により、音声モードが起動されたかを判断する。ここでの音声モードが起動された場合とは、図１２（ｂ）、図１３（ｂ）で説明したように、ユーザのログイン前には音声モードが起動されておらず、ユーザのログイン後に音声モードが起動された場合等が該当する。閉じるボタンが押下された、又は音声モードが起動されたとＣＰＵ２０１が判断した場合、Ｓ４１１に進み、ＣＰＵ２０１は、表示制御部３０３により、サイネージアプリケーション３００の画面を非表示にする。
【０１１２】
図１４は、図４に示す処理を実行した場合の画面フローを示した図である。ここでは、図１２、図１４と比較するため、ユーザ認証機能がＯＮに設定され、認証画面を操作開始時に表示する設定がされた場合の画面フローを示している。
【０１１３】
図１４（ａ）は、上述したケースＡにおける画面フローを示した図である。図１３（ａ）と比較すると、認証画面８０１を介してユーザにより認証情報が入力され、ユーザ認証、及びログイン処理が完了すると、サイネージアプリケーション３００の画面１００１が表示されることなく、メインメニュー画面８０２が表示される。つまり、図１２（ａ）と同様の画面フローとなる。
【０１１４】
図１４（ｂ）は、上述したケースＢにおける画面フローを示した図である。図１３（ｂ）と比較すると、サイネージアプリケーション３００の画面１００１が表示された後に音声モード選択画面１３０１が表示され、音声モードが起動されると、画面１００１に戻らずに、メインメニュー画面８０２に切り替わる。
【０１１５】
このように、音声モード起動後にユーザがログインした場合は、サイネージアプリケーション３００の画面表示がＯＮになっていてもコンテンツは表示されない。また、サイネージアプリケーション３００によるコンテンツの表示後に音声モードが起動された場合には、コンテンツが非表示になる。いずれの場合も、サイネージアプリケーションがＯＦＦのときと同様の操作ステップ数になるので、全盲者にとっての操作性の低下を防ぐことができる。
【０１１６】
以上のように、本実施形態の画像処理装置１００によれば、コンテンツの表示タイミングが来た際に、音声モードが起動されているか否かを判定し、起動されている場合にはコンテンツを表示しない。また、コンテンツ表示後に音声モードが起動された場合には、コンテンツを非表示にする。これにより、音声モードを利用しないユーザに対してはサイネージ機能による適切な情報を通知しつつ、音声モードを利用する一部のユーザにとってはコンテンツの表示により操作性が却って低下するのを防ぐことができる。
【０１１７】
（他のアクセシビリティ機能への適用）
上記実施形態では、サイネージ機能と音声モード機能が共に動作する場合について説明したが、他のアクセシビリティ機能についても本発明を適用しても構わない。
【０１１８】
ここでは、アクセシビリティ機能の一つのである画面拡大機能について説明する。画面拡大機能は、不図示の画面拡大機能管理部により実現される。画面拡大機能管理部は、操作部２０９によって画面上でピンチイン、ピンチアウト操作等の所定の操作が行われた際に、操作部２０９に表示されている画面を拡大して表示する。画面拡大機能管理部は、操作部２０９に表示されている画面を拡大して表示している間、画面拡大機能を有効状態として保持する。
【０１１９】
図１５は、画面拡大機能に関する画面例を示す図である。図１５（ａ）は、画像処理装置１００のメインメニュー画面である。枠線１５０１は、図１５（ｂ）に示す画面拡大機能を用いてメインメニュー画面を表示した際の表示領域を示している。なお、この枠線１５０１は、説明のために記載しているものであり、実際のメインメニュー画面には表示されない。
【０１２０】
図１５（ｂ）は、図１５（ａ）のメインメニュー画面においてピンチイン、ピンチアウト操作等を行うことによって表示されるメインメニュー画面を拡大した画面である。ボタン１５０２は、拡大画面の表示座標を上方向に移動させるためのボタンである。ボタン１５０３は、拡大画面の表示座標を右方向に移動させるためのボタンである。ボタン１５０４は、拡大画面の表示座標を下方向に移動させるためのボタンである。ボタン１５０５は、拡大画面の表示座標を左方向に移動させるためのボタンである。なお、表示座標の移動は、ボタン１５０２、１５０３、１５０４、１５０５の押下だけでなく、画面上のスワイプ動作であっても良い。ボタン１５０６は、拡大画面の表示を終了し、通常倍率の画面に戻るためのボタンである。例えば、図１５（ｂ）において、ボタン１５０６が押下されると、図１５（ａ）の画面が表示される。
【０１２１】
図１５（ｃ）は、図１５（ｂ）の画面でユーザが「コピー」ボタンを押下した場合に表示される画面である。このように拡大画面においていずれかのボタンが選択された場合、拡大された表示領域はそのまま変わることなく、次の画面に遷移する。
【０１２２】
このように、画面拡大機能を用いることにより、画面上の所望の領域が拡大されて表示されるため、弱視者による操作性が向上する。一方、弱視者によっては、サイネージ機能によりコンテンツが表示されても、その内容を認識するのが難しい場合がある。また、サイネージアプリケーションの画面９０１を非表示にするには、閉じるボタン９０２を押下する必要がある。そのため、弱視者は拡大画面の表示領域を移動させて、閉じるボタン９０２を表示させてから閉じるボタン９０２を押下する必要があり、操作が煩雑となる。
【０１２３】
そこで、サイネージアプリケーション３００の画面表示がＯＮの状態で画面拡大機能が起動された場合にも、音声モード起動時と同様の処理を行うようにしてもよい。具体的には、図４のＳ４０６、Ｓ４１０では、音声モードが起動されたか否かの判定の代わりに、画面拡大機能が起動されたか否かを判定すればよい。
【０１２４】
音声モード機能か画面拡大機能以外のアクセシビリティ機能が有効になった場合も同様の処理を行うものとしてもよい。例えば、画面色反転機能などのアクセシビリティ機能に本発明を適用しても構わない。すなわち、図４のＳ４０６、Ｓ４１０では、アクセシビリティ機能が起動されたか否かを判定するようにしてもよい。
【０１２５】
また、アクセシビリティ機能を活用しているユーザであってもコンテンツを表示できるように、アクセシビリティ機能を活用中にコンテンツを表示するか否かをユーザ毎に設定できるようにしても良い。
【０１２６】
（他の実施形態）
なお、上記実施形態では、アクセシビリティ機能が有効になった場合に、サイネージアプリケーション３００の画面表示の設定はＯＮのまま、コンテンツを表示しないものとして説明したが、画面表示の設定をＯＦＦにするようにしてもよい。
【０１２７】
また、上記実施形態では、ユーザ認証機能のＯＮ／ＯＦＦを切り替えることが可能な画像処理装置について説明したが、ユーザ認証機能が常にＯＮの画像処理装置であってもよい。その場合、認証画面を操作開始時に表示するか、認証画面を機能選択時に表示するかの設定に応じて、コンテンツの表示タイミングをユーザのログイン実行時にするか、オートクリア実行時にするかを決定すればよい。また、ユーザ認証機能がＯＮの場合に、認証画面を操作開始時に表示するか、機能選択時に表示するかを切り替えることが可能な画像処理装置について説明したが、認証画面を機能選択時に表示する設定ができない画像処理装置であってもよい。その場合、ユーザ認証機能のＯＮ／ＯＦＦの設定に応じて、コンテンツの表示タイミングをユーザのログイン実行時にするか、オートクリア実行時にするかを決定すればよい。
【０１２８】
また、上記実施形態では、ユーザ認証機能がＯＮかつ認証画面を操作開始時に表示する設定がされている場合、コンテンツの表示タイミングをユーザのログイン完了時としていたが、ユーザのログアウト時としてもよい。上述したとおり、ログアウト処理は、ユーザによるログアウトボタンが押されたとき、又は、オートクリア処理が行われたときに実行されるので、ユーザのログアウト後、次に使用するユーザは最初にコンテンツを目にすることとなる。よって、認証画面を機能選択時に表示する設定がされている場合やユーザ認証がＯＦＦの場合と類似したタイミングでコンテンツが表示されることとなり、ユーザの利便性が向上する。また、ユーザ認証機能がＯＮかつ認証画面を操作開始時に表示する設定がされている場合のコンテンツの表示タイミングを、ログイン完了時ではなく、ユーザ認証の成功時にしても構わない。
【０１２９】
また、画像処理装置１００において発生する他のイベント時にもコンテンツを表示するようにしても良い。例えば、プリント時、コピー実行開始時、スキャナにより生成された画像データを外部に送信する機能（スキャンして送信機能）の実行開始時、保存ファイルの利用実行開始時にサイネージアプリケーション３００を表示しても良い。また、トナー無し等のメンテナンス事象発生などの、画像処理装置１００の状態が変化した際に、サイネージアプリケーション３００を表示しても良い。
【０１３０】
なお、上記実施形態ではコピー機能、スキャナ機能等の複数の機能を有する画像処理装置１００を例として説明したが、このうち一部の機能のみを有する画像処理装置にも本発明は適用可能である。また、パーソナルコンピュータやＰＤＡ、携帯電話、ＦＡＸ、カメラ、ビデオカメラ、その他の画像ビューワ等、他の情報処理装置に適用しても構わない。
【０１３１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【符号の説明】
【０１３２】
２０１  ＣＰＵ
２０２  ＲＯＭ
２０３  ＲＡＭ
２０４  ＨＤＤ
２０８  ネットワークＩ／Ｆ
２０９  操作部
２１０  プリンタ
２１１  スキャナ
【図１】
2019012908.tif 000003
【図２】
2019012908.tif 000004
【図３】
2019012908.tif 000005
【図４】
2019012908.tif 000006
【図５−１】
2019012908.tif 000007
【図５−２】
2019012908.tif 000008
【図５−３】
2019012908.tif 000009
【図６】
2019012908.tif 000010
【図７】
2019012908.tif 000011
【図８（ａ）】
2019012908.tif 000012
【図８（ｂ）】
2019012908.tif 000013
【図８（ｃ）】
2019012908.tif 000014
【図９】
2019012908.tif 000015
【図１０（ａ）】
2019012908.tif 000016
【図１０（ｂ）】
2019012908.tif 000017
【図１０（ｃ）】
2019012908.tif 000018
【図１１】
2019012908.tif 000019
【図１２（ａ）】
2019012908.tif 000020
【図１２（ｂ）】
2019012908.tif 000021
【図１３（ａ）】
2019012908.tif 000022
【図１３（ｂ）】
2019012908.tif 000023
【図１４（ａ）】
2019012908.tif 000024
【図１４（ｂ）】
2019012908.tif 000025
【図１５】
2019012908.tif 000026